(57)【要約】      （修正有）【課題】簡単な構造で、部品点数も少なく安価に製作でき、作業性にも優れた、陳列棚等の棚板類が本体内に収納された状態を維持するスライドレールのロック装置を提供する。【解決手段】固定側レール１と、中間レール４と、移動側レール２と、移動側レール２の前端部内面に設けられたロック部材６とよりなるスライドレール１００において、固定側レール１の基板前端部にレール伸長時ストッパー１３が形成され、ロック部材６は、レール伸長時ストッパー１３に係止し、移動側レール２の収納状態を維持する係止突部と、係止突部の前側に連設され、移動側レール２の前方に突出する操作突部と、係止突部の下端から後方に向かって、後端がレール伸長時ストッパー１３の上方に位置するよう傾斜する案内傾斜部とを有し、案内傾斜部と係止突部と操作突部が、板バネ材により一体に形成されている。【選択図】図１
2014136081.tif 000002
【特許請求の範囲】
【請求項１】
ラック等の本体に固定される固定側レールと、固定側レールに対し摺動自在に配設された中間レールと、中間レールに対し摺動自在に配設された移動側レールと、移動側レールの前端部内面に設けられたロック部材よりなるスライドレールにおいて、前記固定側レールの基板前端部にレール伸長時ストッパーが形成され、ロック部材は、レール伸長時ストッパーに係止し、移動側レールの収納状態を維持する係止突部と、係止突部の前側に連設され、移動側レールの前方に突出する操作突部と、係止突部の下端から後方に向かって、後端がレール伸長時ストッパーの上方に位置するよう傾斜する案内傾斜部とを有し、案内傾斜部と係止突部と操作突部が、板バネ材により一体に形成されていることを特徴とするスライドレールのロック装置。
【請求項２】
ロック部材は、案内傾斜部の後端に連設された傾斜片支持部と、前記移動側レールの基板前端部内面に連結される、傾斜片支持部に連設された連結部を有し、係止突部と操作突部と案内傾斜部と傾斜片支持部と連結部が、板バネ材により一体に形成されていることを特徴とする請求項１に記載のスライドレールのロック装置。
【発明の詳細な説明】
【技術分野】
【０００１】
本発明は、陳列棚等の棚板類が本体内に収納された状態を維持するスライドレールのロック装置に関するものである。
【背景技術】
【０００２】
従来、前記スライドレールのロック装置として数々のものが提供されている。
その代表的なものとして先行技術文献１（特許文献１）に示すように、ラック等の本体に固定される固定側レールと、固定側レールに対し摺動自在に配設された移動側レールと、移動側レールの前端部内面に設けられたロック片とよりなるスライドレールにおいて、前記固定側レールの基板前端部に移動側レールの方向に突出する係止突片が形成され、前記ロック片は、移動側レールの前方に突出する操作突部と、係止突片側に突出し前端が係止突片に係止する位置で、後端が係止突片から外れた位置に傾斜する案内傾斜部と、案内傾斜片の係止状態を維持する係止状態維持部を有し、移動側レールと平行に回動自在で、常に案内傾斜部が係止突片に係止する方向に回動力が付与されているものである。
そして、前記回動力は、巻きバネを使用することによって得ていた。
【０００３】
すなわち、ロック装置は、ロック片、巻きバネ、リベット等、部品点数が多くなり在庫管理、コスト等の問題があった。さらに、スライドレールにロック装置を組み付ける際、巻きバネを弾性変形させた状態で組み付けなければならず、この作業が非常に煩雑で、生産性がよくなかた。
【先行技術文献】
【特許文献】
【０００４】
【特許文献１】特許第３５９４４９４号公報
【発明の概要】
【発明が解決しようとする課題】
【０００５】
本発明は、簡単な構造でコンパクトに構成でき、部品点数も少なく安価に製作でき、作業性にも優れ、既に製作された一般的なスライドレールにもロック機能を付加することができるスライドレールのロック装置を提供することを課題とする。
【課題を解決するための手段】
【０００６】
そこで、上記課題を解決する為、本発明が第１の手段として構成したところは、ラック等の本体に固定される固定側レールと、固定側レールに対し摺動自在に配設された中間レールと、中間レールに対し摺動自在に配設された移動側レールと、移動側レールの前端部内面に設けられたロック部材よりなるスライドレールにおいて、前記固定側レールの基板前端部にレール伸長時ストッパーが形成され、ロック部材は、レール伸長時ストッパーに係止し、移動側レールの収納状態を維持する係止突部と、係止突部の前側に連設され、移動側レールの前方に突出する操作突部と、係止突部の下端から後方に向かって、後端がレール伸長時ストッパーの上方に位置するよう傾斜する案内傾斜部とを有し、案内傾斜部と係止突部と操作突部が、板バネ材により一体に形成されているものである。
【０００７】
次に、上記課題を解決する為、本発明が第２の手段として構成したところは、前記第１の手段として構成したところに加え、ロック部材は、案内傾斜部の後端に連設された傾斜片支持部と、前記移動側レールの基板前端部内面に連結される、傾斜片支持部に連設された連結部を有し、係止突部と操作突部と案内傾斜部と傾斜片支持部と連結部が、板バネ材により一体に形成されているものである。
【発明の効果】
【０００８】
本発明の第１の手段として構成したところによると、ロック部材は、係止突部と、操作突部と、案内傾斜部を有し、それらが板バネ材より一体に形成されているので、構造が簡単で、スライドレールへの組み込み作業も容易であり、全体として安価に製作できる。
【０００９】
次に、本発明の第２の手段として構成したところによると、前記効果に加え、さらに、ロック部材が一つの部品で構成されているので、在庫管理等も容易であり、移動側レールの収納時係止突部が、固定側レールの前端部に形成されたレール伸長時ストッパーに係止するので、ロック部材を移動側レールの前端部内面に取り付けるだけで、既存のスライドレールを簡単にロック機能付きのスライドレールとすることができる。
【図面の簡単な説明】
【００１０】
【図１】本発明のスライドレールの伸長途中状態の斜視図である。
【図２】ロック部材の斜視図。
【図３】ロック状態を示す説明図。
【図４】スライドレールの基本断面図である。
【発明を実施するための最良の形態】
【００１１】
本発明は、ラック等の本体に固定される固定側レールと、固定側レールに対し摺動自在に配設された中間レールと、中間レールに対し摺動自在に配設された移動側レールと、移動側レールの前端部内面に設けられたロック部材とよりなるスライドレールにおいて、前記固定側レールの基板前端部にレール伸長時ストッパーが形成され、ロック部材は、レール伸長時ストッパーに係止し、移動側レールの収納状態を維持する係止突部と、係止突部の前側に連設され、移動側レールの前方に突出する操作突部と、係止突部の下端から後方に、後端がレール伸長時ストッパーの上方に位置するよう傾斜する案内傾斜部と、案内傾斜部の後端に連設された傾斜片支持部と、傾斜片支持部に連設された前記移動側レールの基板前端部内面に連結される、傾斜片支持部に連設された連結部を有し、係止突部と、操作突部と、案内傾斜部と、傾斜片支持部と、連結部が板バネ材より一体に形成されているものである。
【実施例】
【００１２】
スライドレールの基本的構成を（図１、図４）に基づいて説明する。  スライドレール１００は、陳列棚等の本体の内面に連結ネジ等で連結される固定側レール１と、固定側レール１に対し、固定側ボール保持板３に回転自在に保持された複数個のボール３０・・・を介して摺動自在に設けられた中間レール４と、中間レール４に対し、移動側ボール保持板５に回転自在に保持された複数個のボール５０・・・を介して摺動自在に設けられた移動側レール２より構成され、移動側レール２が固定側レール１に収納された状態を保持するロック部材６が、移動側レール２の前端部内面に設けられている（図１参照）。
【００１３】
固定側レール１は、金属製の細長条板の短手両端部を内向き円弧状に折り曲げて形成された内面長手方向（摺動方向）にボール案内溝を有する上下折曲縁１１、１１と、基板１２より断面略Ｃ字形をなし、摺動方向前端部に、基板１２の上下端部側の一部が移動側レール２方向に突出し、固定側ボール保持板３、中間レール４、移動側ボール保持板５等を介して、移動側レール２を最大引き出した状態で停止させ、スライドレール１００を最大伸長となすレール伸長時ストッパー１３と、摺動方向後端部に、基板１２を移動側レール２方向に突出し、中間レール４等を介して、移動側レール２が最も収納された状態で停止させ、スライドレール１００を最短縮小状態となすレール短縮時ストッパー１３０が形成されている。（図４参照）
【００１４】
移動側レール２は、固定側レール１とほぼ同等の長さで、金属製の細長条板の短手両端部を内向き円弧状に折り曲げて形成された内面長手方向（摺動方向）にボール案内溝を有する上下折曲縁２１、２１と、基板２２より固定側レール１に対向する断面略Ｃ字形に形成されている。
そして、基板２２の前端側には、前記固定側レール１方向に突出し、移動側レール２の収納時に中間レール４の前端に当接する移動側レール収納時ストッパー２２１が形成され、基板２２の後端部には、スライドレール１００の最大伸長状態で移動側ボール保持板５の後端に当接する移動側レール後端ストッパー２２０が形成されている。
【００１５】
中間レール４は、帯状金属板にて上記固定側レール１と移動側レール２間に挿入可能な大きさに形成されている。
すなわち、金属製の細長条板の短手両端部を外向き円弧状に折り曲げて、外面長手方向（摺動方向）にボール案内溝を有する上下折曲縁４２、４２と基板４１からなる断面略Ｃ字形に形成された固定側中間レールと、固定側中間レールと左右対称形で、金属製の細長条板の短手両端部を外向き円弧状に折り曲げて、外面長手方向（摺動方向）にボール案内溝を有する上下折曲縁４３、４３と基板４０からなる断面略Ｃ字形に形成された移動側中間レールよりなり、互いの基板４１，４０を摺動方向にややずらして固着された、断面略Ｉ字形で、固定側レール１及び移動側レール２とほぼ同長に形成されている。
【００１６】
そして、中間レール４の基板４１の後端部に固定側レール１側に突出し、移動側レール２の引き出し時、固定側ボール保持板３の後端部に当接すると共に、移動側レール２の収納時、固定側レール１のレール短縮時ストッパー１３０の内面に当接する中間レール後端ストッパー４５（図４参照）が形成され、基板４０の前端部に移動側レール２側に突出し、移動側レール２の引き出し時、ボール保持板５の前端部が内面に当接すると共に、移動側レール２の収納時、前記移動側レール収納時ストッパー２２１の内面が当接する中間レール前端ストッパー４４が形成されている。
【００１７】
固定側ボール保持板３は帯条金属板にて中間レール４より所定寸法短くした、固定側レール１と中間レール４間に挿入可能な大きさの基板３１と、固定側レール１と中間レール４の各上下折曲縁１１、１１、４２、４２間に位置する上下突出縁３２、３２より断面略コ字形に形成され、上下突出縁３２、３２の長手方向（摺動方向）数個所でボール３０・・・を回転自在に保持している。
【００１８】
固定側ボール保持板５は帯条金属板にて中間レール４より所定寸法短くした、移動側レール２と中間レール４間に挿入可能な大きさの基板５１と、移動側レール２と中間レール４の各上下折曲縁２１、２１、４３、４３間に位置する上下突出縁５２、５２より断面略コ字形に形成され、突出縁５２、５２の長手方向（摺動方向）数個所でボール５０・・・を回転自在に保持している。
【００１９】
スライドレール１００は上記の如く構成され、移動側レール２が固定側レール１に最も収納された状態（最短縮小状態）では、中間レール後端ストッパー４５が、固定側レール１のレール短縮時ストッパー１３０の前面に当接し、移動側レール２の移動側レール収納時ストッパー２２１が中間レール前端ストッパー４４の前面に当接し、ロック部材６が、固定側レール１のレール伸長時ストッパー１３に係止している。（ロック状態）
この状態から、ロック部材６のレール伸長時ストッパー１３に対する係止状態を解除して、移動側レール２を前方に引き出していくと、移動側レール２の移動距離の２分の１の距離だけ移動側ボール保持板５は移動し、中間レール４の移動距離の２分の１の距離だけ固定側ボール保持板３は移動するので、移動側レール後端ストッパー２２０の前面がボール移動側保持板５の後端に当接し、移動側ボール保持板５の前端が中間レール４の中間レール前端ストッパー４４の後面に当接して、中間レール４の中間レール後端ストッパー４５の前面が固定側ボール保持板３の後端に当接し、固定側ボール保持板３の前端が、固定側レール１のレール伸長時ストッパー１３の後面に当接して、移動側レール２、中間レールは停止し、スライドレール１００は最大伸長状態となる。
【００２０】
次に、第１実施例のロック部材を図１〜図３に基づいて説明する。
第１実施例のロック部材６は、レール伸長時ストッパー１３に係止し、移動側レール２の収納状態を維持する係止突部６４と、係止突部６４の上端前側に連設され、移動側レール２の前方に突出する操作突部６５と、係止突部６４の下端から後方に、後端がレール伸長時ストッパー１３の上方に位置するよう傾斜する案内傾斜部６３と、案内傾斜部６３の後端で上方に連設された傾斜片支持部６２と、傾斜片支持部６２の移動側レール２側で前方に連設された前記移動側レール２の基板２２前端部内面に連結される連結部６１より構成され、板バネ材より一体に形成されている。
そして、連結部６１には、移動側レール２の基板２２の前端部内面で、移動側レール収納時ストッパー２２１の前方に形成された取付孔（図示せず。）に対応する連結孔６０・・・が形成され、移動側レール２の基板２２外側から取付孔、連結孔６０・・・を挿通するリベット６００・・・にて、基板２２の前端部内面で、移動側レール収納時ストッパー２２１の前方に連結されている。
【００２１】
第１実施例のロック部材６は上記の如く形成され、移動側レール２が最大伸長状態（引出し、棚板等が最も引き出された状態）から移動側レール２を収納していくと、固定側レール１に対して中間レール４が先に収納されたり、或いは、中間レール４に対し移動側レール２が先に収納されたり、さらには、移動側レール２の中間レール４に対する収納と、固定側レール１に対する中間レール４の収納が同時に行われたりする。
【００２２】
しかしながら、ロック部材６は、移動側レール収納時ストッパー２２１の前方に設けられているので、移動側レール２と中間レール４の固定側レール１に対する収納順位にかかわらず、最終的には、ロック部材６の案内傾斜部６３の下面が固定側レール１のレール伸長時ストッパー１３の上面前端に接触し、移動側レール２の収納に伴って案内傾斜部６３を弾性変形させて上方に押し上げ（図３の仮想線に示す状態）、ロック部材６の係止突部６４の下端がレール伸長時ストッパー１３の上面を通過すると、板バネ材の弾性によって下方に弾性復帰し、係止突部６４がレール伸長時ストッパー１３の後方（収納側）に位置してレール伸長時ストッパー１３に係止し、ロック部材６を操作しない限り、スライドレール１００の最短縮小状態が維持される。この状態で、ロック部材６の操作突部６５は、スライドレール１００（移動側レール３）の前端部より前方に突出し、移動側レール２と連結された棚板７等の前端部の下方に位置した状態となっている。
【００２３】
この状態から、移動側レール２（棚板７等）を引き出すときは、棚板７の上面と操作突部６５下面を指先で摘むようにして、操作突部６５を上方に移動させて、係止突部６４がレール伸長時ストッパー１３の上方に位置するよう案内傾斜部６３を弾性変移させて、レール伸長時ストッパー１３に対する係止状態を逸脱させた状態を維持し、移動側レール２（棚板）を前方に引き出す。すなわち、棚板７を腕（指先）で支えながらロック解除を行うので、傾斜棚であっても不測に棚板が飛び出したにすることがなく、操作を安全に行うことができる。
【符号の説明】
【００２４】
１          固定側レール
１３        レール伸長時ストッパー
１００      スライドレール
２          移動側レール
２２１      移動側レール収納時ストッパー
４          中間レール
６          ロック部材
６１        連結部
６２        傾斜片支持部
６３        案内傾斜部
６４        係止突部
６５        操作突部
【図１】
2014136081.tif 000003
【図２】
2014136081.tif 000004
【図３】
2014136081.tif 000005
【図４】
2014136081.tif 000006